(57)【要約】【課題】複数種類の媒体の使用を可能とし、営業店はこれらの媒体から取得した顧客識別データをもとに顧客に対して充分な対応を可能にする。【解決手段】ＩＣカード部８、カードリーダ部９、及び通帳リーダ部１０によりカードや通帳のＩＣや磁気ストライプから顧客識別データをよみとれるようにし、これらのＩＣカード部８、カードリーダ部９、及び通帳リーダ部１０にカードや通帳が同時に挿入されたとき、一番先に読み取った正常な顧客識別データを有効とするように制御する。【選択図】　　　　図１
2004013620.tif 000002
【特許請求の範囲】
【請求項１】
営業店に設置され、操作表示部に表示した来店目的画面のキーにより顧客に来店目的を入力させて受付の番号票を発券する顧客受付用端末において、
複数種類の媒体に対応する複数のデータ読み取り部を備え、
各々のデータ読み取り部で顧客により挿入された媒体から顧客識別データを読み取れるようにすると共に、
複数のデータ読み取り部に媒体が同時に挿入されたとき、一番先に読み取った正常な顧客識別データを有効とするように制御することを特徴とする顧客受付用端末。
【請求項２】
営業店に設置され、操作表示部に表示した来店目的画面のキーにより顧客に来店目的を入力させて受付の番号票を発券する顧客受付用端末において、
複数種類の媒体に対応する複数のデータ読み取り部を備え、
顧客が来店目的を入力するとデータ読み取り部への媒体の挿入を誘導する媒体挿入誘導画面を前記操作表示部に表示すると共に、各データ読み取り部による媒体からの顧客識別データの読み取りを可能とし、
データ読み取り部へ媒体が挿入されると、顧客識別データを読み取って番号票を発券することを特徴とする顧客受付用端末。
【請求項３】
営業店に設置され、操作表示部に表示した来店目的画面のキーにより顧客に来店目的を入力させて受付の番号票を発券する顧客受付用端末において、
複数種類の媒体に対応する複数のデータ読み取り部を備え、
来店目的画面の表示時に各データ読み取り部による媒体からの顧客識別データの読み取りを可能とし、
媒体が挿入されず、来店目的が入力された場合、データ読み取り部への媒体の挿入を誘導する媒体挿入誘導画面を前記操作表示部に表示して、データ読み取り部へ媒体が挿入されると、顧客識別データを読み取って番号票を発券し、
来店目的の入力の前にデータ読み取り部へ媒体が挿入された場合、顧客識別データを読み取って番号票を発券することを特徴とする顧客受付用端末。
【請求項４】
請求項３において、
データ読み取り部へ媒体が挿入される前と後のいずれにおいても来店目的の入力を可能とし、来店目的が入力される前に媒体が挿入された場合は、媒体に対する読み取りと来店目的の入力を並行して制御することを特徴とする顧客受付用端末。
【請求項５】
営業店に設置され、操作表示部に表示した来店目的画面のキーにより顧客に来店目的を入力させて受付の番号票を発券する顧客受付用端末において、
複数種類の媒体に対応する複数のデータ読み取り部を備え、
顧客が入力した来店目的に対応して、次に表示する画面を変えることを特徴とする顧客受付用端末。
【請求項６】
請求項５において、
窓口での取扱い以外の特別な誘導を必要とする来店目的が入力されたとき、窓口外で接客する係員に用件を伝えるように促す旨のメッセージを番号票に印字して発券することを特徴とする顧客受付用端末。
【請求項７】
営業店に設置され、複数種類の媒体に対応する複数のデータ読み取り部を備え、操作表示部に表示した来店目的画面のキーにより顧客に来店目的を入力させて受付の番号票を発券する顧客受付用端末の制御プログラムにおいて、
当該顧客受付用端末に、
各々のデータ読み取り部で顧客により挿入された媒体から顧客識別データを読み取れるようにする手順と、
複数のデータ読み取り部に媒体が同時に挿入されたとき、一番先に読み取った正常な顧客識別データを有効とする手順と、
を実行させることを特徴とする顧客受付用端末の制御プログラム。
【請求項８】
営業店に設置され、複数種類の媒体に対応する複数のデータ読み取り部を備え、操作表示部に表示した来店目的画面のキーにより顧客に来店目的を入力させて受付の番号票を発券する顧客受付用端末の制御プログラムにおいて、
当該顧客受付用端末に、
顧客が来店目的を入力するとデータ読み取り部への媒体の挿入を誘導する媒体挿入誘導画面を前記操作表示部に表示すると共に、各データ読み取り部による媒体からの顧客識別データの読み取りを可能とする手順と、
データ読み取り部へ媒体が挿入されると、顧客識別データを読み取って番号票を発券する手順と、
を実行させることを特徴とする顧客受付用端末の制御プログラム。
【請求項９】
営業店に設置され、複数種類の媒体に対応する複数のデータ読み取り部を備え、操作表示部に表示した来店目的画面のキーにより顧客に来店目的を入力させて受付の番号票を発券する顧客受付用端末の制御プログラムにおいて、
当該顧客受付用端末に、
来店目的画面の表示時に各データ読み取り部による媒体からの顧客識別データの読み取りを可能とする手順と、
媒体が挿入されず、来店目的が入力された場合、データ読み取り部への媒体の挿入を誘導する媒体挿入誘導画面を前記操作表示部に表示して、データ読み取り部へ媒体が挿入されると、顧客識別データを読み取って番号票を発券する手順と、
来店目的の入力の前にデータ読み取り部へ媒体が挿入された場合、顧客識別データを読み取って番号票を発券する手順と、
を実行させることを特徴とする顧客受付用端末の制御プログラム。
【請求項１０】
営業店に設置され、複数種類の媒体に対応する複数のデータ読み取り部を備え、操作表示部に表示した来店目的画面のキーにより顧客に来店目的を入力させて受付の番号票を発券する顧客受付用端末の制御プログラムにおいて、
当該顧客受付用端末に、
顧客が入力した来店目的に対応して、次に表示する画面を変える手順を実行させることを特徴とする顧客受付用端末の制御プログラム。
【発明の詳細な説明】
【０００１】
【発明の属する技術分野】
本発明は、営業店のカウンター等で来店した顧客に受付の番号票を発券する機能を持つ顧客受付用端末に関するものである。
【０００２】
【従来の技術】
銀行、保険会社、証券会社、郵便局等の営業店では、カウンター等に受付の番号票を発券する機能を持つ顧客受付用端末を設置し、来店した顧客に受付の番号票を発券して、受付順に顧客に対応するようにしている。
この顧客受付用端末は発券の際、来店目的を入力させる画面を表示し、入力された目的に応じてカードの挿入を誘導したり、ロビー係員への誘導を行うことも実施している。
【０００３】
図９は従来の顧客受付用端末における表示画面の遷移を示す図である。
この図に示したように従来は、まず、当該端末に設けられた操作表示部に図９（ａ）に示した来店目的入力画面を表示させる。
この操作表示部は顧客に対して各種の入力画面やその操作誘導等の表示を行うと共に、画面上のキーを顧客が指で触れることによりキーに定義された情報を入力することが可能なタッチパネル式ディスプレイである。
【０００４】
この来店目的入力画面を見て顧客が、所望のキーを押下して来店目的を入力すると、次に図９（ｂ）に示した媒体持参確認画面が操作表示部に表示される。
この画面には、カードを持参しているか、いないかを問いかける旨のメッセージと、問いかけに対する答えを入力する「はい」、「いいえ」のキーが表示される。
【０００５】
この画面をみて、顧客が「はい」のキーを押下すると、続いて、操作表示部に図９（ｃ）に示した媒体挿入誘導画面が表示される。
この媒体挿入誘導画面は、カードの挿入を促す旨のメッセージと、挿入方法を案内する動画からなり、この動画に従って顧客がカードリーダ部に磁気カードを挿入すると、このカードの磁気ストライプから顧客データが読み取られて、当該装置の制御部等に送られ、その後、操作表示部に図９（ｄ）に示した番号票受取り誘導画面が表示される。
【０００６】
この画面には、番号票の受取りを促すメッセージと番号票の受取り方法を示す動画によって構成され、そして、この番号票受取り誘導画面の表示と同時に、プリンタで所定の用紙に受付番号が印字されて顧客に放出される。
また、前記図９（ｂ）の媒体持参確認画面で顧客が「いいえ」のキーを押下すると、操作表示部には（ｃ）の媒体挿入誘導画面をとばして（ｄ）に示した番号票受取り誘導画面が表示され、プリンタで所定の用紙に受付番号が印字されて顧客に放出される。
【０００７】
尚、各画面に対応して表示メッセージと同様の内容の音声もスピーカから出力される。
【０００８】
【発明が解決しようとする課題】
しかしながら上述した従来の技術では、磁気カード用のカードリーダ部しか備えていないため、顧客が使用できる媒体は磁気カードに限られ、媒体の使用が制限されると共に、営業店では磁気カードを挿入した顧客に対してしか顧客データが得られないため、充分な対応ができないという問題がある。
【０００９】
また、顧客が媒体を持参しているか否かを問い、媒体を持参していることを確認してから、媒体の挿入を誘導しているため、操作に時間がかかり、その分番号票の発券処理に時間がかかるという問題がある。
また、外国為替など窓口では取り扱わない取扱い対象外業務が来店目的として入力された場合は、「係員をお呼び下さい」等のメッセージを入れた誘導画面を表示するのみであるので、顧客は画面を見落としたりするとどうしてよいか分からず、不安感を与えてしまうという問題がある。
【００１０】
本発明はこのような問題を解決することを目的とする。
【００１１】
【課題を解決するための手段】
そのため、本発明は、営業店に設置され、操作表示部に表示した来店目的画面のキーにより顧客に来店目的を入力させて受付の番号票を発券する顧客受付用端末において、複数種類の媒体に対応する複数のデータ読み取り部を備え、各々のデータ読み取り部で顧客により挿入された媒体から顧客識別データを読み取れるようにすると共に、複数のデータ読み取り部に媒体が同時に挿入されたとき、一番先に読み取った正常な顧客識別データを有効とするように制御することを特徴とする。
【００１２】
【発明の実施の形態】
以下、図面を参照して本発明による顧客受付用端末の実施の形態について説明する。
図１は実施の形態の構成を示す概略図である。
図において１は銀行等の金融機関の営業店に設置される顧客受付用端末の筐体で、この筐体１には、制御部２、鍵盤部３、プリンタ部４、顧客検知センサー５、操作表示部６、スピーカ７、ＩＣカードリーダ部８、カードリーダ部９、通帳リーダ部１０が搭載されている。
【００１３】
ここで、制御部２は顧客受付用端末全体の動作を制御するもので、筐体１内に設けられている。
鍵盤部３はメンテナンス時等にオペレータが操作するもので、文字キーや数字キー、及び各種のファンクションキー等によって構成され、筐体１の扉の内側等に設けられている。
【００１４】
プリンタ部４は来店した顧客に番号票（番号札）を発券するもので、番号票を放出する放出口が筐体１の表面に設けられている。
顧客検知センサー５は当該顧客受付用端末に接近した顧客を検知するものである。
操作表示部６は顧客に対して各種の入力画面やその操作誘導等の表示を行うと共に、画面上のキーを顧客が指で触れることによりキーに定義された情報を入力することが可能なタッチパネル式ディスプレイであり、また、スピーカ７は操作表示部６の表示画面に応じた音声を出力するものである。
【００１５】
ＩＣカードリーダ部８は顧客が持参したＩＣカードから顧客データ等を非接触で読み取ることができるものである。
カードリーダ部９はキャッシュカードやクレジットカード等の各種磁気カードに設けられている磁気ストライプのデータを読み取るもので、カード挿入排出口が筐体１の表面に設けられている。このカードリーダ部９はＩＣカードの挿入も可能であり、ＩＣカードが挿入された場合は、ＩＣ部にコンタクトして顧客データ等を読み取ることができる。
【００１６】
通帳リーダ部１０は通帳に設けられている磁気ストライプから顧客でデータを読み取るもので、通帳挿入排出口が筐体１の表面に設けられている。
これらＩＣカードリーダ部８、カードリーダ部９、及び通帳リーダ部１０は、本発明においてカードや通帳のＩＣや磁気ストライプから顧客識別データを含む顧客データを読み取る読み取り部として用いられ、顧客識別データとしては、例えば顧客の口座番号が用いられる。
【００１７】
図２は実施の形態の制御系を示すブロック図である。
１１は受付業務の一連の流れを制御すると共に、操作表示部６に表示する画面の制御を行う画面フロー制御手段、１２は画面フロー制御手段１１と連携して画面フロー制御手段１１が指定した音声をスピーカ７から出力させる音声制御手段である。
【００１８】
１３は画面フロー制御手段１１と連携してＩＣカードや磁気カード及び通帳に対する読み取り動作等を制御する媒体制御手段、１４は画面フロー制御手段１１と連携して画面フロー制御手段１１が指定した番号札を発券するようにプリンタ部４を制御するプリンタ制御手段、１５は顧客検知センサー５を制御して検知情報を画面フロー制御手段１１に伝達するセンサー制御手段である。
【００１９】
１６は媒体制御手段１１と連携してＩＣカードリーダ部８を制御するＩＣカードリーダ制御手段、１７は媒体制御手段１１と連携してカードリーダ部９を制御するカードリーダ制御手段、１８は媒体制御手段１１と連携して通帳リーダ部９を制御する通帳リーダ制御手段である。
これら各制御手段１１〜１５は予め設定されたソフトウェアに基づいて図１に示す制御部２により実現されるものである。
【００２０】
図３は第１の実施の形態における表示画面の遷移を示す図で、この図３及び図１，図２を参照して第１の実施の形態を説明する。
まず、営業店に来店した顧客が顧客受付用端末の前に立つと、顧客検知センサー５により検知され、その検知情報がセンサー制御手段１５を介して画面フロー制御手段１１に通知される。
【００２１】
これにより画面フロー制御手段１１は音声制御手段１２に指示してスピーカ７から「いらっしゃいませ、目的のキーを押してください・・・」等の歓迎の意を表すると共に、キーの押下を促す旨の音声を出力させ、同時に操作表示部６に図３（ａ）に示した来店目的入力画面を表示させる。
この画面には入出金、新規、諸届、投信等の複数の来店目的キーが表示されており、この来店目的入力画面を見て顧客が、所望のキーを押下することにより来店目的を入力すると、画面フロー制御手段１１は音声制御手段１２に指示してスピーカ７から通帳またはカードの挿入を促す旨の音声を出力させると共に、操作表示部６に図３（ｂ）に示した媒体挿入誘導画面を表示させる。
【００２２】
この画面には、前記音声の出力と同内容のメッセージと取引用の媒体である通帳やカードの挿入方法案内の動画が含まれており、また媒体が無いことを入力するための小型の「媒体なし」キーが画面内に表示される。
この、媒体挿入誘導画面の表示と同時に、画面フロー制御手段１１は媒体制御手段１３を介してＩＣカードリーダ制御手段１６、カードリーダ制御手段１７、及び通帳リーダ制御手段１８対して通帳やカードの受入れを指示し、これにより各制御手段１６〜１８はそれぞれＩＣカードリーダ部８、カードリーダ部９、及び通帳リーダ部１０を制御して、通帳やカードの挿入を可能な状態にする。
【００２３】
つまり、ＩＣカードリーダ部８、カードリーダ部９、及び通帳リーダ部１０のいずれにも取引用の媒体としてのＩＣカードリーダ、磁気カード、通帳の挿入を可能とし、これらの媒体が複数同時に挿入が行われた場合、各媒体からのデータの読み取りを並行して行えるものとする。
ここで、顧客がＩＣカードリーダ部８、カードリーダ部９、及び通帳リーダ部１０のいずれかにＩＣカード、磁気カード、あるいは通帳を挿入すると、これらのカードや通帳のＩＣや磁気ストライプから支店名、顧客番号、口座番号、口座科目等の顧客データが読み取られて、制御手段１６〜１８のうちの該当する制御手段から媒体制御手段１３に通知され、通知された顧客データは媒体制御手段１３から画面フロー制御手段１１に送られる。
【００２４】
この場合、媒体制御手段１３は、ＩＣカードリーダ部８、カードリーダ部９、及び通帳リーダ部１０うちの複数のリーダ部から顧客データが送信されてきた場合、先着順位が速くかつ内容が正しい顧客データのみを有効にして画面フロー制御手段１１に送信し、これより遅れて送信されてきた顧客データは破棄する。
例えば、一番先に送信されてきた顧客データに対して媒体制御手段１３は、その顧客データの内容が正しいか否かを判断し、正しいデータの場合はその顧客データを有効として画面フロー制御手段１１に送信すると共に、２番目以後の顧客データは破棄するが、一番先に送信されてきた顧客データが読み取りエラー等により正しいデータではないと判断した場合は、２番目に送信されてきた顧客データが正しいか否かを判断して、正しいデータの場合はその顧客データを有効として画面フロー制御手段１１に送信すると共に、３番目以後の顧客データは破棄する。
【００２５】
画面フロー制御手段１１は、媒体制御手段１３から顧客データを受信すると、そのデータの内容をもとに当該顧客の属性データ（例えば、過去の取引履歴や、定期預金額、預金残高、資産等）を取得するために当該装置とは別の装置であるデータベースサーバ等へアクセスすると共に、当該顧客の受付を行う窓口群に応じた番号帯の中でシーケンシャル等の採番ルールに従った受付番号を前記データベースサーバ等とは別のシステムに要求し、それぞれ回答を待つ。
【００２６】
その後、画面フロー制御手段１１は前記システムから受付番号を受信すると、音声制御手段１２に指示してスピーカ７から番号票の受取りを促す旨の音声を出力させると共に、操作表示部６に図３（ｃ）に示した番号票受取り誘導画面を表示させる。
この画面は、前記音声の出力と同内容のメッセージと、番号票の受取り方法を示す動画からなり、そして、この番号票受取り誘導画面の表示と同時に、画面フロー制御手段１１はプリンタ制御手段１４に対して番号票の出力依頼を前記受付番号と共に通知し、これによりプリンタ部４は所定の用紙に受付番号を印字して顧客に放出する。
【００２７】
尚、図３（ｂ）の媒体挿入誘導画面で「媒体なし」キーが押下された場合、画面フロー制御手段１１は、通帳やカードの受入れの指示を出さず、前記システムに受付番号を要求し、受付番号を受信すると、音声制御手段１２に指示してスピーカ７から番号票の受取りを促す旨の音声を出力させると共に、操作表示部６に図３（ｃ）に示した番号票受取り誘導画面を表示させ、そして、プリンタ制御手段１４によりプリンタ部４に受付番号を印字させて顧客に放出する。
【００２８】
以上説明した第１の実施の形態によると、磁気カード用のカードリーダ部に加えて通帳用の通帳リーダ部とＩＣカード用のカードリーダ部を設けると共に、これらを制御する各々の制御手段と、各制御手段を統括して制御する制御手段を設けているため、磁気カードに限らず、通帳やＩＣカード等の複数種類の媒体が使用可能になり、これらの複数種類の媒体から顧客情報を取得して顧客に対応できるという効果が得られる。
【００２９】
また、来店目的入力画面で顧客が取引を入力すると、無条件に媒体挿入誘導画面を表示して媒体の挿入を促すようにして、従来顧客が媒体を持参したか否か確認していた媒体持参確認画面（図９（ｂ））を省略し、これにより顧客の操作を簡略化したので、顧客の操作が容易になると共に、処理時間も短縮できるという効果も得られる。
【００３０】
また、この種の端末の運用目的の１つは、媒体から取得した顧客データをもとに、属性データを検索して来店顧客のうちの特定の顧客を検出し、この顧客に対して特別なサービスを提供したり、金融商品のセールスを展開するために窓口へ誘導することであるが、従来の表示画面の流れでは、媒体持参確認画面の表示により誤って未持参を押してしまったり、媒体挿入の煩わしさから意図的に未持参を選択する顧客もみられた。しかし、上述した実施の形態によれば、媒体持参確認画面を排除し、来店目的画面から媒体挿入誘導画面へ移行させているため、媒体の挿入をスムーズに誘導することができ、特定の顧客を確実に検出してサービスの提供やセールスの展開を行うことができ、充分な対応が可能になるという効果も得られる。
【００３１】
また、媒体を持参していない顧客に対しては、媒体挿入誘導画面に小型の「媒体なし」キーを表示して、このキーを押下することにより番号票を発券するようにしているため、媒体を持参していない顧客に対しても支障無く対応することができる。
図４は第２の実施の形態における表示画面の遷移を示す図で、この図４及び図１，図２を参照して第１の実施の形態を説明する。
【００３２】
この実施の形態は、来店目的入力画面においてすべての媒体の読み取りを可能とするものである。
以下、順を追って説明すると、まず、営業店に来店した顧客が顧客受付用端末の前に立つと、顧客検知センサー５により検知され、その検知情報がセンサー制御手段１５を介して画面フロー制御手段１１に通知される。
【００３３】
これにより画面フロー制御手段１１は音声制御手段１２に指示してスピーカ７から「いらっしゃいませ、目的のキーを押してください。通帳、カードをお持ちのお客様は挿入口にセットして下さい・・・・」等の歓迎の意を表すると共に、キーの押下と媒体の挿入を促す旨の音声を出力させ、同時に操作表示部６に図４（ａ）に示した来店目的入力画面を表示させる。
【００３４】
この来店目的入力画面は、第１の実施の形態で説明した画面と同様の画面である。
また、この来店目的入力画面の表示と同時に、画面フロー制御手段１１は、媒体制御手段１３を介してＩＣカードリーダ制御手段１６、カードリーダ制御手段１７、及び通帳リーダ制御手段１８対して通帳やカードの受入れを指示し、これにより各制御手段１６〜１８はそれぞれＩＣカードリーダ部８、カードリーダ部９、及び通帳リーダ部１０を制御して通帳やカードの挿入を可能な状態にする。
【００３５】
ここで、顧客が来店目的入力画面に表示されている所望のキーを押下することにより来店目的を入力すると、画面フロー制御手段１１は音声制御手段１２に指示してスピーカ７から通帳またはカードの挿入を促す旨の音声を出力させると共に、操作表示部６に図４（ｂ）に示した媒体挿入誘導画面を表示させ、そして、顧客がＩＣカードリーダ部８、カードリーダ部９、及び通帳リーダ部１０のいずれかにＩＣカード、磁気カード、あるいは通帳を挿入すると、これらのカードや通帳のＩＣや磁気ストライプから支店名、顧客番号、口座番号、口座科目等の顧客データが読み取られて、制御手段１６〜１８のうちの該当する制御手段から媒体制御手段１３に通知され、通知された顧客データは媒体制御手段１３から画面フロー制御手段１１に送られる。
【００３６】
この場合も媒体制御手段１３は、第１の実施の形態で説明したと同様に画面フロー制御手段１１に顧客データを送信する。
画面フロー制御手段１１は、媒体制御手段１３から顧客データを受信すると、そのデータの内容をもとに当該顧客の属性データ（例えば、過去の取引履歴や、定期預金の金額、残高、資産等）を取得するために当該装置とは別の装置であるデータベースサーバ等へアクセスすると共に、当該顧客の受付を行う窓口群に応じた番号帯の中でシーケンシャル等の採番ルールに従った受付番号を前記データベースサーバ等とは別のシステムに要求し、それぞれ回答を待つ。
【００３７】
その後、画面フロー制御手段１１は前記システムから受付番号を受信すると、音声制御手段１２に指示してスピーカ７から番号票の受取りを促す旨の音声を出力させると共に、操作表示部６に図４（ｃ）に示した番号票受取り誘導画面を表示させる。
この画面は、前記音声の出力と同内容のメッセージと、番号票の受取り方法を示す動画からなり、そして、この番号票受取り誘導画面の表示と同時に、画面フロー制御手段１１はプリンタ制御手段１４に対して番号票の出力依頼を前記受付番号と共に通知し、これによりプリンタ部４は所定の用紙に受付番号を印字して顧客に放出する。
【００３８】
尚、図４（ｂ）の媒体挿入誘導画面、及び図４（ｃ）の番号票受取り誘導画面は、第１の実施の形態で説明した画面と同様の画面である。
一方、前記図４（ａ）の来店目的入力画面の表示時に出力された媒体の挿入を促す旨の音声を聞いて、顧客がＩＣカードリーダ部８、カードリーダ部９、及び通帳リーダ部１０のいずれかにＩＣカード、磁気カード、あるいは通帳を挿入すると、これらのカードや通帳のＩＣや磁気ストライプから顧客データが読み取られて、制御手段１６〜１８のうちの該当する制御手段から媒体制御手段１３に通知され、通知された顧客データは媒体制御手段１３から画面フロー制御手段１１に送られる。
【００３９】
そして、画面フロー制御手段１１は、媒体制御手段１３から顧客データを受信すると、そのデータの内容をもとに当該顧客の属性データ（例えば、過去の取引履歴や、定期預金の金額、残高、資産等）を取得するために当該装置とは別の装置であるデータベースサーバ等へアクセスすると共に、当該顧客の受付を行う窓口群に応じた番号帯の中でシーケンシャル等の採番ルールに従った受付番号を前記データベースサーバ等とは別のシステムに要求し、その後、画面フロー制御手段１１は前記システムから受付番号を受信すると、音声制御手段１２に指示してスピーカ７から番号票の受取りを促す旨の音声を出力させると共に、操作表示部６に図４（ｃ）に示した番号票受取り誘導画面を表示させる。
【００４０】
この番号票受取り誘導画面の表示と同時に、画面フロー制御手段１１はプリンタ制御手段１４に対して番号票の出力依頼を前記受付番号と共に通知し、これによりプリンタ部４は所定の用紙に受付番号を印字して顧客に放出する。
尚、この第２の実施の形態においても、媒体挿入誘導画面で「媒体なし」キーが押下された場合、図４（ｃ）に示した番号票受取り誘導画面が表示され、そして、プリンタ制御手段１４によりプリンタ部４に受付番号を印字されて顧客に放出される。
【００４１】
以上説明した第２の実施の形態によれば、来店目的入力画面の表示時にカードや通帳の挿入を可能にしてＩＣや磁気ストライプから顧客データを読み取れるように制御するため、来店目的入力画面の表示時にカードや通帳を挿入した場合、媒体持参確認画面や媒体挿入誘導画面の表示を省略して、受付処理時間をより短縮することができるという効果が得られる。
【００４２】
つまり、この第２の実施の形態によれば、来店目的入力画面の表示時にカードや通帳が挿入された後、来店目的がキー入力された場合、カードや通帳の搬送及び顧客データの読み取り制御と、画面入力操作のオーバーラップ処理（並行動作）が可能となるので、受付処理時間がより短縮されることになる。
図５はこの第２の実施の形態の時間短縮効果を示す説明図である。
【００４３】
図５（ａ）は従来の手順、（ｂ）は第１の実施の形態の手順、（ｃ）は第２の実施の形態の手順であり、図中、各処理ステップの時間を箱（矩形）の大きさで表し、受付処理にかかる時間を箱を積み上げた縦の長さで表している。
この図（ｃ）に示したように、第２の実施の形態では、来店目的入力画面の表示時に先ににカードや通帳が挿入され、次に来店目的が入力された場合、カードや通帳の搬送及び顧客データの読み取り制御と、画面入力操作に対するデータベースサーバ等へのアクセスの制御がオーバーラップ処理される。
【００４４】
来店目的が先に入力された場合は（ｂ）に示した第１の実施の形態と同様になるが、このことは、来店目的が入力と媒体の挿入のどちらが先でも入力可能な制御であることを示す。
このように第２の実施の形態によれば、媒体の挿入が先になされた場合、媒体制御と画面入力の並行動作が可能となり、時間短縮が可能になる。
【００４５】
次に、第３の実施に形態について説明する。
この実施の形態は来店目的入力画面で入力された来店目的に応じて画面を制御し、媒体の挿入誘導と番号票の発行を行うもので、この番号票の発行には、通常の窓口で処理依頼を行うための番号票の他に、ロビー係員に対処させるための番号票の発行が含まれる。
【００４６】
図６は第３の実施に形態で用いるテーブルの内容例を示す図で、来店目的と表示画面が対応づけられている。
例えば、来店目的が入出金等の取引に対しては、通帳やカードが取引用の媒体として必要であるので、媒体挿入誘導画面が設定され、また、住所変更等の手続きを行うための諸届に対しては、取引用の媒体を必要とせず、即時番号票の発券に移るので、番号票受け取り誘導画面が設定される。
【００４７】
更に、外国為替、投資信託、保険、証券等の通常窓口等で取り扱うことのできない窓口対象外業務や、高度な商品知識を有する取引、他店を紹介する場合等、特別な誘導が必要な場合の来店目的に対しては、係員向け発券画面が設定されている。
このテーブルは図示しない記憶部に保有され、このテーブルに基づいて画面フロー制御手段１１により操作表示部６に表示する画面の制御が行われる。
【００４８】
図７はこの第３の実施の形態における画面の表示例を示す図である。
図７（ａ）に示すように、操作表示部６に表示された来店目的入力画面で、例えば入出金が入力され場合、画面フロー制御手段１１は図６のテーブルを参照して入出金に対応する媒体挿入誘導画面を操作表示部６に表示させ、通帳やカードの挿入を顧客に促す。
【００４９】
この場合の来店目的入力画面及び媒体挿入誘導画面は第１の実施の形態及び第２の実施の形態と同様の画面であり、同様に音声によるメッセージが出力される。
また、図７（ｂ）に示すように、来店目的入力画面で諸届が入力された場合、画面フロー制御手段１１は図６のテーブルを参照して番号票受け取り誘導画面を操作表示部６に表示させ、プリンタ部４で番号票を印字して顧客に放出する。
【００５０】
この場合の来店目的入力画面及び番号票受取り誘導画面も、第１の実施の形態及び第２の実施の形態と同様の画面であり、同様に音声によるメッセージが出力される。
更に、図７（ｃ）に示すように、来店目的入力画面で外国為替等の特別な誘導が必要な場合の来店目的が入力された場合、画面フロー制御手段１１は図６のテーブルを参照して係員向け発券画面を操作表示部６に表示させ、プリンタ部４で係員向け番号票を印字して顧客に放出する。
【００５１】
この場合の係員向け発券画面には、番号票を近くの係員に渡すように案内するメッセージと番号票の受取り方法を示す動画からなり、そしてこの画面表示と同時に表示メッセージと同じ内容の音声によるメッセージが出力される。
図８はこのときの係員向け番号票の印字例を示す図で、来店目的の用件を近くの係員に伝えるように促すメッセージと共に、図示しないシステムから受信した係員に応じた番号帯の中でシーケンシャル等の採番ルールに従った受付番号と受付時刻が印字されている。
【００５２】
顧客は係員向け番号票を受け取ると、近くにいるロビー係員を探して番号票を渡し、用件を伝える。これによりロビー係員は、顧客の用件に応じて行き先の指定や、専門の係員への紹介等の誘導を行う。
このようにした第３の実施の形態によれば、以下の効果が得られる。
すなわち、従来の顧客受付用端末では、取扱い対象外業務等の特別な誘導が必要な場合、操作表示部に「係員をお呼び下さい」等の誘導画面を表示するのみであったので、誘導画面の見落とし等による不安感を引き起こすという危惧がつきまとったが、上述した第３の実施の形態によれば、表示画面による誘導と共に、ロビー係員への誘導を行うメッセージを印字した係員向け番号票を顧客に発券するため、顧客は行き先を明確に示した番号票を取得することで安心感が得られると共に、ロビー係員は顧客からの係員向け番号票を提示されることで確実に来店客を受け入れて用件に合った対応を行うことが可能になる。
【００５３】
また、係員向け番号票に、受付番号と受付時刻を印字しているため、ロビー係員は顧客の番号票を参照して、携帯端末や情報端末を等を通じて待ち状況を把握することが可能となり、例えば長時間待っている顧客に対しては、優先受付や用件の行き先の聞き取り等のサービスを実施することができる。
【００５４】
【発明の効果】
以上説明したように、本発明によれば、複数のリーダ部とその制御手段を設けているため、顧客が持参する複数種類の媒体が使用可能になるという効果が得られる。
また、来店目的入力画面で顧客が取引を入力すると、無条件に媒体挿入誘導画面を表示して媒体の挿入を促すようにして顧客の操作を簡略化したので、顧客の操作が容易になると共に、処理時間も短縮できるという効果も得られる。
【００５５】
また、来店目的画面から媒体挿入誘導画面へ移行させているため、媒体の挿入をスムーズに誘導することができ、これにより特定の顧客を確実に検出してサービスの提供やセールスの展開を行うことができるという効果も得られる。
また、来店目的入力画面の表示時に媒体の挿入を可能にして、媒体から顧客識別データを読み取れるように制御するため、来店目的入力画面の表示時にカードや通帳を挿入した場合、受付処理時間をより短縮することができるという効果が得られる。　　　　　　　　　　　【００５６】
更に、取扱い対象外業務等の特別な誘導が必要な場合、表示画面による誘導と共に、ロビー係員への誘導を行うメッセージを印字した係員向け番号票を顧客に発券するため、顧客は行き先を明確に示した番号票を取得することで安心感が得られると共に、ロビー係員は顧客からの係員向け番号票を提示されることで確実に来店客を受け入れて用件に合った対応を行うことが可能になるという効果が得られる。
【図面の簡単な説明】
【図１】発明の実施の形態の構成を示す概略図
【図２】実施の形態の制御系を示すブロック図
【図３】第１の実施の形態における表示画面の遷移を示す図
【図４】第２の実施の形態における表示画面の遷移を示す図
【図５】第２の実施の形態の時間短縮効果を示す説明図
【図６】第３の実施の形態で用いるテーブルの内容を示す図
【図７】第３の実施の形態における画面の表示例を示す図
【図８】係員向番号票の印字例を示す図
【図９】従来の表示画面の遷移を示す図
【符号の説明】
１　筺体
２　制御部
３　鍵盤部
４　プリンタ部
５　顧客検知センサー
６　操作表示部
７　スピーカ
８　ＩＣカードリーダ部
９　カードリーダ部
１０　通帳リーダ部
１１　画面フロー制御手段
１２　音声制御手段
１３　媒体制御手段
１４　プリンタ制御手段
１５　センサー制御手段
１６　ＩＣカードリーダ制御手段
１７　カードリーダ制御手段
１８　通帳リーダ制御手段
【図１】
2004013620.tif 000003
【図２】
2004013620.tif 000004
【図３】
2004013620.tif 000005
【図４】
2004013620.tif 000006
【図５】
2004013620.tif 000007
【図６】
2004013620.tif 000008
【図７】
2004013620.tif 000009
【図８】
2004013620.tif 000010
【図９】
2004013620.tif 000011